(57)【要約】【課題】長時間装用していても違和感や肉体的苦痛が少なく、日常生活に殆ど支障をきたすことがない陥没乳頭矯正具を提供する。【解決手段】乳輪５または乳房６に密着し乳頭３の周囲を取り囲むように形成された支持体２１と、乳頭３を貫通する矯正ピン２２と、この矯正ピン２２の基端２２ａに設けられた支持部２３と、前記矯正ピン２２の先端２２ｂに着脱可能に被冠されるキャップ２４とで陥没乳頭矯正具２０を構成する。支持体２１は一部が開放する円形に形成され、また開放部２５に延設された乳頭案内部２６Ａ，２６Ｂを一体に有している。矯正ピン２２は支持体２１と略平行で、支持部２３が支持体２１の開放部２５と対向する部位に連結され、支持体２１の中心を横断するように設けられていることにより先端２２ｂが乳頭案内部２６Ａ，２６Ｂ間に延在している。【選択図】        図１
2004275562.tif 000002
【特許請求の範囲】
【請求項１】
乳房または乳輪に密着し乳頭の周囲を取り囲むように形成された支持体と、乳頭を貫通する矯正ピンと、この矯正ピンの基端を前記支持体に連結し支持する支持部と、前記矯正ピンの先端に着脱可能に止着されるキャップとからなり、前記矯正ピンは、前記支持体の面方向と略平行でかつ支持体の中心を横断する方向に延在するように設けられていることを特徴とする陥没乳頭矯正具。
【請求項２】
請求項１記載の陥没乳頭矯正具において、
前記支持体は一部に開放部を有するＣ字状に形成され、前記開放部と対向する部位に前記支持部が設けられていることを特徴とする陥没乳頭矯正具。
【請求項３】
請求項１記載の陥没乳頭矯正具において、
前記支持体は無端状であって、かつ前記矯正ピンの延在方向と同方向の長さが矯正ピンの長さよりも長く形成され、ピン先端とピン延在方向のリング内周との間に乳頭受入れ空間が設けられていることを特徴とする陥没乳頭矯正具。
【請求項４】
請求項１，２または３記載の陥没乳頭矯正具において、
前記キャップは、前記矯正ピンの先端部に被冠される保持部と、支持体に係合または乳房または乳輪に接触する脚部とを一体に有することを特徴とする陥没乳頭矯正具。
【発明の詳細な説明】
【０００１】
【発明の属する技術分野】
本発明は、陥没乳頭の矯正に用いられる陥没乳頭矯正具に関する。
【０００２】
【従来の技術】
陥没乳頭は、乳頭が乳輪から突出せず陥没しているものをいい、形成外科診療においてごく日常的に見られる女性特有の疾患である。その原因は先天性と後天性とがあるが、いずれにしても陥没乳頭を患う女性、特に若い未婚または既婚の女性や妊産婦にとって精神的苦痛と授乳障害、乳腺炎等に対する不安は深刻なものである。したがって、早期に病院で診察を受け症状に応じた適切な治療を受けることが望ましい。
【０００３】
陥没乳頭の治療方法は、その症状の程度によって異なり、軽度な場合は保存的療法（非観血的治療）によって整復することができるが、保存的療法だけでは整復できない中等程度以上の場合は、手術療法によって陥没乳頭を引き出し整腹した後、再陥没を防ぐために保存的療法を併用する必要がある。
【０００４】
保存的療法を分類すると、次の４種類に大別される。
▲１▼マッサージによる方法
▲２▼吸引による方法（例えば、非特許文献１〜５参照）
▲３▼糸で吊り上げる方法（例えば、非特許文献６〜８参照）
▲４▼ピンを乳頭に刺し通す方法（例えば、非特許文献９参照）
【０００５】
【非特許文献１】
「形成外科」  ”陥没乳頭に対するニプレット（Ｎｉｐｐｌｅｔｔｅ  ）の使用経験”  中野峰生他、克誠堂出版株式会社  １９９６年５月発行  第３９巻５号  ｐ４７７〜４８３
【非特許文献２】
「形成外科」  ”陥没乳頭に対する形成術−非観血的治療”  山田敦、小坂和弘  克誠堂出版株式会社  ２０００年発行  第４３巻増刊号  Ｓ１６１〜Ｓ１６４
【非特許文献３】
「形成外科」  ”陥没乳頭の保存的治療”山田敦  克誠堂出版株式会社  １９９９年発行  第４２巻増刊号  Ｓ２４７〜Ｓ２５０
【非特許文献４】
「手術」”陥没乳頭の手術”  吉村陽子他  １９９１年発行  第４５巻６号  ｐ８３３〜ｐ８３５
【非特許文献５】
「日美外報」  １９８５年１２月発行  Ｖｏｌ．７  Ｎｏ．４
【非特許文献６】
「防衛衛生」  ”陥没乳頭術後の乳頭プロテクターの工夫”  佐藤俊次他  １９８８年３月発行  第３５巻３号  ｐ９３〜９５
【非特許文献７】
「防衛衛生」  ”陥没乳頭の術後の吊り上げ固定法について”  早稲田豊美他
１９９３年１０月発行  ４０巻１１号  ｐ３９９〜４０２
【非特許文献８】
「形成外科」  ”陥凹乳頭の再建術”  克誠堂出版株式会社  難波雄哉他  昭和４１年４月発行  ＩＸ２  ｐ９３〜９４
【非特許文献９】
「（ＰＬＡＳＴＩＣ  ＡＮＤ  ＲＥＣＯＮＳＴＲＵＣＴＩＶＥ  ＳＵＲＧＥＲＹ」（形成再建外科）
Ｅｒｉｋ  Ｓｃｈｏｌｔｅｎ，Ｐｈ．Ｄ．２００１年２月発行  Ｖｏｌ．１７
Ｎｏ．２  ｐ５１１〜５１３
なお、出願人は本明細書に記載した先行技術文献情報で特定される先行技術文献以外には、本発明に密接に関連する先行技術文献を出願時までに見出すことができなかった。
【０００６】
非特許文献１〜３に記載されている”ニプレット”は、ＭｃＧｅｏｒｇｅ  ＤＤが１９９４年に陥没乳頭を引き出す器具として開発し、Ｃａｎｎｏｎ  Ｂａｂｙｓａｆｅ社が製品化して市販し始めた乳頭吸引器の商品名である。このニプレットは、バルブ付きの乳頭型カップと、このカップ内の空気を吸引して排気する注射筒とからなり、カップを陥没乳頭の上に軽く押し当ててその内部を注射筒によって陰圧状態にすることにより、陥没乳頭をカップ内に突出させて矯正する。このような器具は、通常乳頭の再陥没を防止するため、カップを継続的に数箇月間装着して矯正する。
【０００７】
非特許文献４に記載されている乳頭吸引器は、乳頭型のカップと、このカップ内を陰圧にするゴム製の手動型吸引ポンプとで構成されている。
【０００８】
非特許文献５に記載されている搾乳器（ピジョン社製：搾乳器Ｋ）は、径の大きなゴム製の円錐形吸着盤と、この吸着盤内を陰圧にするゴム製の手動型吸引ポンプとからなり、吸着盤により乳輪全体の広い範囲を吸引して陥没乳頭を引き出すものである。
【０００９】
非特許文献６に記載されている乳頭プロテクターは、注射器の外套の鍔側部分を３ｃｍ程度切断して鍔付き筒体とし、この筒体の切断端面の対称部位に２つの切り込みを形成したもので、手術によって引き出した乳頭を筒体内に挿入し、乳頭に通した糸を緊張させて乳頭を吊り上げ、この状態で糸の各端部を前記切り込みに差し込み係止するものである。
【００１０】
非特許文献７に記載されている陥没乳頭矯正用固定具は、レストンスポンジのノリ面どうしを貼り合わせ、直径１０ｃｍ程度の円形にハサミで切り、続いて、その中心部に乳頭より大きい穴を切り抜いて筒状の支持台とし、この支持台の上に略中心を横切るように爪楊枝を橋渡しする形で置き、爪楊枝が動かないように絆創膏によって固定したもので、乳頭に通した糸を緊張させて乳頭を吊り上げ、この状態で糸を前記爪楊枝に結び付けるようにしている。
【００１１】
非特許文献８に記載されている術後の乳頭プロテクターは、上記非特許文献７に記載されている矯正用固定具と同様に、厚いパッドを乳頭の周囲においてガーゼからなる枕をパッドの上に橋渡しし、乳頭に通した糸を緊張させて乳頭を吊り上げ、その両端を前記枕に結び付けるようにしている。
【００１２】
非特許文献９に記載されている陥没乳頭矯正具は、バーベル状のピンを使用するもので、図８（ａ）、（ｂ）に示すように金属製（ＳＵＳ等）のストレートなバー２を乳頭（陥没状態から引き出された乳頭）３に通し、その両端にボール４をそれぞれ取付け、この両端部のボール４で実質的に乳頭３を支持するものである。なお、同図において、５は乳輪、６は乳房を示す。
【００１３】
このうち、本発明に係る陥没乳頭矯正具は、▲４▼に分類されるピンを乳頭に貫通させて矯正するタイプの矯正具に属し、その改良に関するものである。
【００１４】
【発明が解決しようとする課題】
上記した保存的療法のうちマッサージによる方法は、症状が最も軽度な場合に有効ではあるが、症状が軽度以上になると効果が低いという問題があった。
【００１５】
乳頭吸引器や搾乳器を用いて吸引する方法は、カップまたは吸着盤が動きたいり脱落しないように乳房にしっかりと固定していなければならないため、装用者にとって違和感が大きく、また胸の膨らみが大きくなりすぎて下着の着用が難しく、日常生活に支障をきたすという問題があるのみならず陥没再発が頻発するという欠点があった。
【００１６】
糸で吊り上げる方法は、糸を緊張した状態で止めるための筒体（支持台）を乳房にしっかりと固定しておかなければならないため、上記した吸引方法と同様に違和感が大きく長時間の装用が難しいという問題があった。また、糸が切れたり、乳頭組織が糸の張力によって切れたりしないように充分に注意を払う必要があった。
【００１７】
図８に示した従来の陥没乳頭矯正具１は、乳頭３が再陥没しないようにするためにバー２を乳頭３の基部付近に貫通させて２つのボール４を乳輪５または乳房６の表面で支持させる必要がある。しかしながら、乳頭３の組織と乳頭直下の乳輪組織とは異なるため、バー２を乳頭基部に何度も刺し通して使用していると乳頭基部の組織が乳輪組織から剥離または段裂し易くなる。また、乳頭３は再陥没しようとするため、その力が乳輪５または乳房６の表面のうち２つのボール４が接触する部分に集中し、当該部分のみが凹んでしまうため必ずしも有効に機能しないという欠点がある。また、局部的に力が加わるため、患者に肉体的苦痛を与えるという問題もあった。
【００１８】
本発明は上記した従来の問題を解決するためになされたもので、その目的とするところは、長時間装用していても違和感や肉体的苦痛が少なく、日常生活に殆ど支障がない陥没乳頭矯正具を提供することにある。
【００１９】
【課題を解決するための手段】
上記目的を達成するために第１の発明は、乳房または乳輪に密着し乳頭の周囲を取り囲むように形成された支持体と、乳頭を貫通する矯正ピンと、この矯正ピンの基端を前記支持体に連結し支持する支持部と、前記矯正ピンの先端に着脱可能に止着されるキャップとからなり、前記矯正ピンは、前記支持体の面方向と略平行でかつ支持体の中心を横断する方向に延在するように設けられているものである。
【００２０】
第１の発明においては、支持体が乳頭の周囲を取り囲むように広い範囲にわたって乳房または乳輪と接触しているので、乳頭が再陥没しようとする力が支持体全体に分散する。したがって、局部的に力が加わったりせず装用者の肉体的苦痛を軽減することができる。
矯正ピンは支持体に対して離間しており、乳輪組織から遠い乳頭の長さ方向の最適な位置に貫通させることができる。したがって、長期間装用していても、乳頭基部の組織が乳頭直下の乳輪組織から剥離したりするおそれが少ない。
【００２１】
第２の発明は、上記第１の発明において、前記支持体が一部に開放部を有するＣ字状に形成され、前記開放部と対向する部位に前記支持部を設けたものである。
【００２２】
第２の発明においては、陥没乳頭を引き出して支持体の外側で開放部付近に位置させておき、支持体を乳頭方向に移動させることにより矯正ピンを乳頭に貫通させて乳頭が支持体の略中央に位置するように移動させ、しかる後キャップを矯正ピンの先端に止着することにより、矯正具を乳頭に装着する。
【００２３】
第３の発明は、上記第１の発明において、前記支持体が無端状であって、かつ前記矯正ピンの延在方向と同方向の長さが矯正ピンの長さよりも長く形成され、ピン先端とピン延在方向のリング内周との間に乳頭受入れ空間が設けられているものである。
【００２４】
第３の発明においては、陥没乳頭を引き出して支持体の乳頭受入れ空間内に位置付け、支持体を乳頭方向に移動させることにより矯正ピンを乳頭に貫通させて乳頭が支持体の略中央に位置するように移動させ、しかる後キャップを矯正ピンの先端に止着することにより、矯正具を乳頭に装着するのみならず、下着（ブラジャー）への引っ掛かりを防止する。
【００２５】
第４の発明は、上記第１、第２または第３の発明において、前記キャップが、前記矯正ピンの先端部に被冠される保持部と、支持体に係合または乳房または乳輪に接触する脚部とを一体に有するものである。
【００２６】
第４の発明においては、支持部とキャップとで矯正ピンの両端を支持し、乳頭の再陥没しようとする力による矯正ピンの撓みを抑止する。キャップの脚部を支持体に係合させることにより支持体とキャップの相対的な移動を防止する。また、支持体の一部が開放しているＣ字状を呈する形状の場合、脚部を支持体の開放端部付近に係合させておくことにより、支持体の開放部が開いたり閉じたりするのを防止することができる。
【００２７】
【発明の実施の形態】
以下、本発明を図面に示す実施の形態に基づいて詳細に説明する。
図１は本発明に係る陥没乳頭矯正具の第１の実施の形態を示す装着前の斜視図、図２は同矯正具を乳頭に装着した状態の正面図、図３は図２の矢印Ａ方向から見た図である。これらの図において、全体を符号２０で示す陥没乳頭矯正具は、乳房または乳輪５に接触する支持体２１と、矯正ピン２２と、矯正ピン２２の基端２２ａを支持し支持体２１に連結する支持部２３と、矯正ピン２２の先端２２ｂに着脱可能に止着されるキャップ２４とで構成されている。
【００２８】
前記支持体２１は、乳輪５から引き出された乳頭３の周囲、好ましくは乳輪５と略同程度かまたは乳輪５の周囲を取り囲むに十分な大きさで、かつ一部周面が開放した円形のリング状に形成されることにより開放部２５を有する。また、この開放端には乳頭案内部２６Ａ，２６Ｂが一体に延設されている。開放部２５の幅Ｈは、乳頭３の直径の８割程度以上であればよい。乳頭案内部２６Ａ，２６Ｂは、陥没乳頭矯正具２０を乳頭３に装着するとき、乳頭３を支持体２１の内部空間に導くためのガイド部を構成するもので、互いに対向するように外側に円弧状に折り曲げ形成されている。乳頭案内部２６Ａ，２６Ｂの先端間の間隔Ｄは、乳頭３を開放部２５から支持体２１内に入れるとき、乳頭案内部２６Ａ，２６Ｂの先端が乳頭３に当たらないないようにするために乳頭３の直径より大きく設定されていることが好ましい。また、乳頭案内部２６Ａ，２６Ｂは、陥没乳頭矯正具２０の装用時に乳房６に密着していると、先端が乳房６に接触することがあるため先端側が乳房６から離間するように矯正ピン２２側に適宜な小角度（α）をもって傾斜させておくことが好ましい。このような支持体２１は、金、白金、チタン、ＳＵＳ、白金等のワイヤによって形成されている。ワイヤの断面形状は必ずしも円形に限らず楕円形や半円形であってもよい。
【００２９】
前記矯正ピン２２は、支持体２１と同じ金属材料によって直線状に形成され、基端２２ａに前記支持部２３が一体に設けられている。支持部２３は、矯正ピン２２と略直交するように設けられ、先端が前記支持体２１の表面（乳房６側とは反対側の面）で、前記開放部２５と対向する部位、言い換えれば開放部２５から周方向に１８０°離間した部位に支持体２１と直交するように溶接によって接合されている。このため、矯正ピン２２は、支持体２１の面方向（図２の矢印Ａ方向で、支持体の軸線と直交する面）と平行で支持体２１と支持部２３の高さ（長さ）だけ離間して対向し、支持体２１の中心を横断して先端が前記開放部２５よりも外側に延在している。この場合、本実施の形態においては、矯正ピン２２の先端部は乳頭案内部２６Ａ，２６Ｂ間に位置している。
【００３０】
前記キャップ２４は、シリーコンゴム等によって滴型に形成され、小径側端面に矯正ピン２２の先端部が圧入される不貫通孔３１が形成されている。すなわち、不貫通孔３１の穴径を矯正ピン２２の外径より小さく形成することにより、装着後におけるキャップ２４の脱落を防止している。
【００３１】
このような陥没乳頭矯正具２０の装着は、通常のピアスと同様に行えばよいが、目的が陥没乳頭の矯正であるから、当然のことながら専門の医師が診察して行うことになる。
【００３２】
装着に際しては乳頭部を局部麻酔した後、手で引き出した乳頭３または術後であれば糸で引き出した乳頭３の高さ方向中間部に太めの注射針を刺し通し、支持体２１を注射針とは反対側から乳房６に密着させ、支持体２１の開放部２５を乳頭３と対向させる。次に、矯正ピン２２を注射針に差し込んで支持体２１を乳頭３方向に移動させると同時に注射針を乳頭３から徐々に抜いていく。これにより、矯正ピン２２は乳頭３を貫通し、乳頭３は支持体２１の略中央に位置づける。そして、注射針を矯正ピン２２から外し、矯正ピン２２の先端部にキャップ２４を被冠することにより、陥没乳頭矯正具２０の装着を終了する。
【００３３】
陥没乳頭矯正具２０による保存的治療期間は症状によって異なるが、通常は、３〜６週間程度である。特に、症状が重く術後の矯正を行う場合は、支持部２３の長さが異なる陥没乳頭矯正具２０を２〜３種類用意し、陥没乳頭の矯正段階に応じて選択し使用することが望ましい。すなわち、例えば治療期間を３段階に分け、第１段階の矯正開始時には支持部２３が最も短いものを用いて一定期間矯正する。陥没乳頭矯正具２０を取り外しても乳頭３が突出した状態を安定に維持し得るようになると、第２段階として中間の長さの支持部のものを用いて第１段階よりも乳頭の突出量を多くして一定期間矯正する。陥没乳頭矯正具２０を取り外しても乳頭３が突出した状態を安定に維持し得るようになったら、第３段階として最も長い支持部のものを用いて第２段階よりも乳頭の突出量をさらに多くし通常の突出寸法にする。一定期間経過し陥没乳頭矯正具２０を取り外しても乳頭３が永続的に正常な突出寸法を維持し得るようになると、保存的療法による矯正を終了する。
【００３４】
陥没乳頭矯正具２０の装用によって起こり得る合併症としては、通常のピアスと同様に稀ではあるが感染、皮膚炎、出血、膿瘍、腫瘍、瘻孔の形成等が考えられるので、医師による定期的な診察を受けることが望ましい。
【００３５】
このような陥没乳頭矯正具２０は、乳頭３に装着した後テープやガーゼで覆って固定する必要がないので、違和感が少なくピアス的な感覚で装着しておくことが可能である。また、相当の期間が経過した後は下着を着用したり、陥没乳頭矯正具２０を装着したままシャワーを浴びることも可能であり、矯正が完全に終了した後は、入浴も可能となり通常の日常生活に殆ど支障をきたすことがない。
【００３６】
また、支持体２１はリング状（Ｃ字状）に形成され、図８に示した従来の陥没乳頭矯正具１に比べて乳房６（または乳輪５）に乳頭３を取り囲むように広い範囲にわたって接触しているので、乳頭３が再陥没しようとする力を支持体２１全体に分散させることができる。したがって、局部的に力が加わらず装用者の肉体的苦痛を軽減することができる。また、矯正ピン２２は支持体２１から離間していることにより、乳頭３の長さ方向中間部に貫通させることができ、長期間装着していても乳頭３の基部組織が乳頭直下の乳輪組織から離間したり断裂するおそれがなく、安心して使用することがきる。
【００３７】
図４は本発明の第２の実施の形態を示す陥没乳頭矯正具の断面図である。
この実施の形態は、支持体２１と矯正ピン２２をインサート成形によって一体に形成したものである。支持体２１は合成樹脂製で、上記した第１の実施の形態と同様に一部に開放部２５を有するＣ字状に形成され、前記開放部２５と対向する部位に支持部２３が一体に突設されている。
【００３８】
矯正ピン２２は金等の貴金属製であり、基端２２ａにはインサート成形によって前記支持部２３に埋め込まれる折曲片３３が一体に設けられている。
このような構造においては、支持体２１の材料コストが低廉となり、製造コストを低減することができる。
【００３９】
図５は本発明の第３の実施の形態を示す陥没乳頭矯正具の正面図である。
この実施の形態は、乳頭３の周囲を取り囲む支持体４０を開放部を有さない無端状であって鍵穴形状（だるま型）のリングとし、その内部空間Ａを円形の大径空間部Ａ１  と略半円形の小径空間部Ａ２  とで構成し、小径空間部Ａ２  を矯正ピン２２を貫通させる直前における乳頭受入れ空間としている。また、支持体４０の前記乳頭受入れ空間Ａ２  と対向する部位に支持部２３を突設し、この支持部２３によって矯正ピン２２の基端３３ａを支持している。なお、支持体４０は鍵穴型に限らず、２つの空間部Ａ１  ，Ａ２  が略同一の大きさの繭型形状であってもよい。
【００４０】
前記矯正ピン２２は、支持体４０の中心を横断することにより先端２２ｂが前記乳頭受入れ空間Ａ２  を指向し、長さＬ１  が前記大径空間部Ａ１  の直径Ｄと略等しく設定されている。このため、矯正ピン２２の先端２２ｂは、前記乳頭受入れ空間Ａ２  の直前に位置している。
【００４１】
このような構造からなる陥没乳頭矯正具４１において、乳頭３に矯正ピン２２を貫通させるときは、乳房６を麻酔して乳頭３を乳頭受入れ空間Ａ２  内に位置させた後、後太めの注射針を乳頭３に刺して矯正ピン２２を注射針に差し込み支持ピン支持体４０を図５において右方に移動させて矯正ピン２２を乳頭３に貫通させ、乳頭３を大径空間部Ａ１  の中央に位置付ける。このような陥没乳頭矯正具４１においても、上記した第１の実施の形態と同様な効果が得られる。
【００４２】
図６は本発明の第４の実施の形態を示す正面図、図７はキャップの正面図である。
この実施の形態は、被冠される不貫通孔３１を有し矯正ピン２２の先端部に被冠されるキャップ本体５０Ａと、このキャップ本体５０Ａの下面に一体に連設された脚部５０Ｂとでキャップ５０を構成し、矯正ピン２２の両端を支持部２３とキャップ５０とによって２点支持するようにしたものである。
【００４３】
キャップ５０の脚部５０Ｂは略三角形を呈しており、陥没乳頭矯正具２０を乳頭３に装着してキャップ５０を矯正ピン２２の先端部に被冠したとき、下面が支持体２１に係合するかまたは乳房の表面に接触する。脚部５０Ｂを支持体２１に係合させる場合は、脚部５０Ｂの下面に凹部５１を形成しておき、この凹部５１に支持体２１を係合させる。
【００４４】
支持体２１は、一部に開放部２５を有するＣ字状に形成され、開放端部に乳頭案内部２６Ａ，２６Ｂが延設されている。乳頭案内部２６Ａ，２６Ｂは、平行に対向するように直線状に形成され、先端部が外側と矯正ピン２２側にそれぞれ適宜角度をもって折り曲げられている。
【００４５】
このようなキャップ５０を備えた陥没乳頭矯正具２０においては、矯正ピン２２を両端支持構造とすることができるため、図１に示した片持ち支持構造の矯正ピンに比べて安定性に優れ、乳頭の再陥没しようとする力による矯正ピン２２の撓みを抑止することができる。また、脚部５０Ｂの凹部５１を乳頭案内部２６Ａ，２６Ｂに係合させておくと、支持体２１とキャップ５０が相対的に移動したり前記乳頭案内部２６Ａ，２６Ｂが開いたり閉じたりするのを規制防止することができる。
【００４６】
なお、本発明は上記した実施の形態に何ら限定されるものではなく、種々の変更、変形が可能である。例えば、支持体２１，４０の形状として円形と鍵穴形状のものを示したが、楕円形、三角形、四角形、ハート型等の種々の形状とすることができる。
また、支持体２１を一部が開放するＣ字状に形成した場合、開放端に乳頭案内部２６Ａ，２６Ｂを一体に延設したが、この乳頭案内部は必ずしも必要ではない。
また、支持体２１，４０をシリコーン等の軟質のチューブによって被冠することにより、支持体が皮膚に直接接触しないようにしてもよい。
【００４７】
【発明の効果】
以上説明したように本発明に係る陥没乳頭矯正具によれば、通常のピアスと同様な感覚で装着することができるため、装着時の違和感が少なく、また肉体的苦痛が少なく、装着した状態で下着を着脱したり、入浴したりすることができるため、通常の日常生活に支障をきたさず長期間装用することができる。
また、乳頭の中間部に矯正ピンを貫通させることができるため、乳頭基部の組織と乳頭直下の乳輪組織とが分離するといったおそれもなく、長期にわたって安心して使用することができる。
【図面の簡単な説明】
【図１】本発明に係る陥没乳頭矯正具の第１の実施の形態を示す装着前の斜視図である。
【図２】同矯正具を乳頭に装着した状態の正面図である。
【図３】図２の矢印Ａ方向から見た図である。
【図４】本発明の第２の実施の形態を示す陥没乳頭矯正具の断面図である。
【図５】本発明の第３の実施の形態を示す陥没乳頭矯正具の正面図である。
【図６】本発明の第４の実施の形態を示す正面図である。
【図７】キャップの正面図である。
【図８】（ａ）、（ｂ）は従来の陥没乳頭矯正具の装着状態における断面図および正面図である。
【符号の説明】
３…乳頭、５…乳輪、６…乳房、２０…陥没乳頭矯正具、２１，４０…支持体、２２…矯正ピン、２３…支持部、２４，５０…キャップ、５０Ａ…キャップ本体、５０Ｂ…脚部、５１…凹部、Ａ２  …乳頭受入れ空間。
【図１】
2004275562.tif 000003
【図２】
2004275562.tif 000004
【図３】
2004275562.tif 000005
【図４】
2004275562.tif 000006
【図５】
2004275562.tif 000007
【図６】
2004275562.tif 000008
【図７】
2004275562.tif 000009
【図８】
2004275562.tif 000010